(57)【特許請求の範囲】
【請求項１】
本体と、該本体の一側へ取り付けたレンズ体と、レンズ体を通過した被写体像を投影させる焦点板と、前記本体に内蔵して、前記レンズ体を通過して前記本体内に取り込んだ被写体像を結像させる撮像体とからなるカメラにあって、前記焦点板と前記撮像体とは、前記本体へ回動自在に設けた回動体へ位相差をもって取り付けてあり、被写体撮影時の構図設定やピント調整の操作に際しては、前記レンズ体の光束部に対して焦点板を対応させ、被写体撮影時に際しては、前記レンズ体の光束部から前記焦点板を退避させ、前記レンズ体の光束部に前記撮像体を対応させてなり、前記回動体の回動により選択的に移動する前記焦点板と前記撮像体とは、前記レンズ体の光束部に対応したとき、前記焦点板の対応位置と前記撮像体の対応位置とが、前記光束部において略一致する位置となるように設けたことを特徴とするカメラ。
【請求項２】
本体と、該本体の一側へ取り付けたレンズ体と、前記本体に内蔵して、前記レンズ体を通過して前記本体内に取り込んだ被写体像を結像させる撮像体とからなるカメラにあって、前記本体内に設けて該本体のガイドに沿って回動する回動体と、この回動体に接続させて該回動体を回動させる操作手段と、前記回動体へ取り付けて、被写体撮影時の構図設定やピント調整の操作を行うに際して、前記レンズ体の光束部に対応させる焦点板と、前記回動体において前記焦点板の後側に取り付けて、前記レンズ体から取り込んだ被写体像を前記本体に設けたファインダーへ送る反射体と、前記回動体において前記反射体を挟んで前記焦点板の他側に設けて、被写体撮影時に際して、前記レンズ体の光束部に対応させる前記撮像体とを備えさせたことを特徴とするカメラ。
【請求項３】
本体と、該本体の一側へ取り付けたレンズ体と、前記本体に内蔵して、前記レンズ体を通過して前記本体内に取り込んだ被写体像を結像させる撮像体とからなるカメラにあって、前記本体内に設けて該本体のガイドに沿って回動する回動体と、この回動体に接続させて該回動体を回動させる操作手段と、前記回動体へ取り付けて、被写体撮影時の構図設定やピント調整の操作を行うに際して、前記レンズ体の光束部に対応させる焦点板と、前記本体に固着して、前記レンズ体から取り込んだ被写体像を前記本体に設けたファインダーへ送る反射体と、前記本体内において、被写体撮影時に際して、前記レンズ体の光束部に対応させる前記撮像体とを備えさせたことを特徴とするカメラ。
【請求項４】
本体と、該本体の一側へ取り付けたレンズ体と、前記本体に内蔵して、前記レンズ体を通過して前記本体内に取り込んだ被写体像を結像させる撮像体とからなるカメラにあって、前記本体内に設けて該本体のガイドに沿って回動する回動体と、この回動体に接続させて該回動体を回動させる操作手段と、前記回動体へ取り付けて、被写体撮影時の構図設定やピント調整の操作を行うに際して、前記レンズ体の光束部に対応させる焦点板と、前記回動体において前記焦点板の後側に取り付けて、前記レンズ体から取り込んだ被写体像を前記本体に設けたファインダーへ送る反射体とを備えさせ、前記撮像体は、繰り出し体と、巻き取り体と、これら繰り出し体および巻き取り体に巻き付けたフィルム体とからなるロールフィルムであって、前記繰り出し体は前記回動体内または前記本体に取り付け、前記巻き取り体は前記本体または前記回動体内に取り付けて、これら繰り出し体と巻き取り体との間に緊張させた前記フィルム体を前記回動体に設けた引き出し体に係合させ、該回動体の回動に伴って、前記繰り出し体から撮像必要量の前記フィルム体を引き出して前記レンズ体の光束部に対応させることを特徴とするカメラ。
【請求項５】
本体と、該本体の一側へ取り付けたレンズ体と、前記本体に設けた支軸へ回動自在に取り付けた回動体と、この回動体に設けて前記レンズ体を通過して前記回動体内に取り込んだ被写体像を結像させる撮像体とからなるカメラにあって、前記回動体に設けて被写体撮影時の構図設定やピント調整の操作を行うに際して、前記レンズ体の光束部に対応させる焦点板と、前記回動体において前記焦点板の後側に取り付けて、前記レンズ体から取り込んだ被写体像を前記回動体に設けたファインダーへ送る反射体と、前記回動体において前記反射体を挟んで焦点板の他側に設けて、被写体撮影時に際して、前記レンズ体の光束部に対応させる前記撮像体とを備えさせたことを特徴とするカメラ。
【請求項６】
本体の一側へ取り付けたレンズ体に、上下方向や前後方向に対する第一アオリ手段を設けたことを特徴とする請求項１，２，３，４または５記載のカメラ。
【請求項７】
チルト操作による第二アオリ手段を設けたカメラにあって、前記第二アオリ手段は、本体内に設けて該本体のガイドに沿って回動する副本体と、この副本体内に設けて該副本体の副ガイドに沿って回動する回動体と、この回動体に接続させて該回動体を回動させる操作手段と、前記回動体へ取り付けて、被写体撮影時の構図設定やピント調整の操作を行うに際して、前記レンズ体の光束部に対応させる焦点板と、前記回動体において前記焦点板の後側に取り付けて、前記レンズ体から取り込んだ被写体像を前記副本体に設けたファインダーへ送る反射体と、前記回動体において前記反射体を挟んで前記焦点板の他側に設けて、被写体撮影時に際して、前記レンズ体の光束部に対応させる前記撮像体とを備えさせたことを特徴とする請求項１記載カメラ。
【請求項８】
回動体へ複数の撮像体を取り付けたことを特徴とする請求項１，２または３記載のカメラ。
【発明の詳細な説明】
【０００１】
【産業上の利用分野】
本発明は、コンパクトな構造で、大型ビューカメラの機能を損なうことなく撮影することができるカメラに関する。
【０００２】
【従来の技術】
従来、大判画面サイズのフィルム、例えば、４×５インチ判や、５×７インチ判、あるいは、中判画面サイズのフィルム等６×７センチ判、６×９センチ判などのものを用いて撮影を行う場合には、すなわち、精密な描写を必要とするまたは被写体の画像の歪みを矯正したりピントの範囲を広く取る等のアオリ撮影を行う場合には、例えば、図２５に示すような大型（中型）ビューカメラ（テクニカルビューカメラ）１７０が用いられる。この利点として、ピントグラス１７３がフィルム１７５の面と同位置にあることで、その位置に直接投影される画像を直接に見て、構図を整え、ピントを合わせて撮影することができる。
【０００３】
この大型ビューカメラ１７０は、被写体１７１の撮影に先立って、まず、本体１７２を三脚等により固定した後、図２５（ａ）に示すように、本体１７２の後部へ可動的に取り付けられたピントグラス部１７７に収納されたピントグラス１７３にて、レンズ１７４を通過した被写体１７１の構図設定とピント調整とを行った後、図２５（ｂ）に示すように、本体１７２とピントグラス部１７７との間にフィルム１７５を収容したフィルムホルダー１７６を挿入することにより撮影していた。また、図２５（ｃ）に示すように、ロールフィルム１７８を収容したフィルムフォルダー１７９を本体１７２へ取り付ける場合には、該本体１７２からピントグラス部１７７を取り外し、この本体１７２へロールフィルムホルダー１７８を付け替えて撮影していた。
【０００４】
したがって、被写体の一回の撮影ごとに、本体１７２に対して、フィルムホルダー１７６（１７９）を着脱しなければならないので、甚だ面倒な上、速写性が非常に低く、ピントグラス１７３に写る被写体１７１の像は上下逆となるため構図の調整が難しくて使いにくいものであった。
また、この着脱式は、慎重に作業をしないと、確認したピント，構図が、フィルムホルダー１７６（１７９）を装着した際に変化して、撮影精度を低下させることがあると共に、フィルム装填後はピントグラス１７３によるピント合わせや構図確認ができなくなる。
【０００５】
更に、大型ビューカメラがレンズバック（レンズ後玉とフィルムの間隔）を自在に調節できるのに対して、一眼レフカメラは、構造上レンズとフィルムの間にミラーボックスを有するため、レンズバック（レンズ後玉とフィルムの間隔）は一定以上の距離を置く必要がある。
このことより、交換レンズの焦点距離がこのレンズバックより短い場合、レンズ設計の際に様々な制約が生まれ、レンズバックに制約のない大型ビューカメラ用レンズやレンジファインダー用レンズに比ベ、レンズ構成が複雑になり、高性能のレンズを造るのが難しくなる。
また、一眼レフカメラは、前述した大型ビューカメラより速写性や操作性などに優れるが、アオリ等の特殊撮影を行う場合いくつかの制約がある。
通常の一眼レフカメラでアオリ等の特殊な撮影をしようとする場合、レンズとカメラ本体の間に蛇腹等のアオリ機構が必要になる。このようなアオリ専用アダプターを使用する場合レンズとカメラ本体にアダプターが入るため、フランジバックが伸びることから、通常の交換レンズは無限遠がでなくなり、接写撮影しかできなくなる。
また通常撮影に必要なイメージサークルしかないためケラレ（長すぎるフードをつけたりした時に、画面の端の方にフードの先端が写り込み黒くなってしまうこと。）が生じる。このためアオリ撮影専用のレンズが必要になる。アオリ専用レンズ（アオリ機構内蔵のレンズもある）は種類が少なく、アオリ機能やアオリ量も大型ビューカメラに比べ制約がある。
【０００６】
一眼レフカメラでアオリ撮影する場合、ファインダー上での被写体の確認が完全に出来ない場合がある。
それは、レンズのアオリの位置や量によっては、図２６（ａ）に示すように、レンズ１８１を通過してフィルム面１８４上に届く光の一部がミラー１８２に反射されない場合がある。このためフィルム面１８４に露光される被写体全体の像がピント板１８３に現れず、その結果フィルム面上で写っていてもファインダー上で画面の上側にかげり等が発生して、被写体全体が確認できない現象（ミラー切れ）Ｍが発生する。
また、図２６（ｂ）に示すように、レンズ１８１を通過した光が反射ミラー１８２を介さず、レンズ１８２から直接ピント板１８３に届いて結像してしまう現象が発生する場合もある。
そのため、失敗が許されない撮影においては、フィルムホルダーが交換可能なカメラの場合、あらかじめフィルム面上に写し出される被写体を確認するため、ボラロイドフィルムホルダーやデジタルカメラバックに交換してテスト撮影を行う。また、フィルム面にピント板を付けて大型ビューカメラのように被写体を確認することもある。
【０００７】
【発明が解決しようとする課題】
本発明は、前記した問題点を解決するためになされたもので、本体内に該本体のガイドに沿って回動する回動体を設けて、この回動体に該回動体を回動させる操作手段を接続させ、回動体へレンズ体の光束部に対応させる焦点板を取り付けて、回動体において前記焦点板の後側に、レンズ体から取り込んだ被写体像を本体に設けたファインダーへ送る反射体を取り付け、回動体において反射体を挟んで焦点板の他側に、レンズ体の光束部に対応させる撮像体を設けることにより、コンパクトに形成することができて、小型であっても大型ビューカメラと同様な撮影効果と高い操作性を発揮させることができるカメラを提供することを目的としている。
【０００８】
【課題を解決するための手段】
前記した目的を達成するための本発明の手段は、
本体と、該本体の一側へ取り付けたレンズ体と、レンズ体を通過した被写体像を投影させる焦点板と、前記本体に内蔵して、前記レンズ体を通過して前記本体内に取り込んだ被写体像を結像させる撮像体とからなるカメラにあって、
前記焦点板と前記撮像体とは、前記本体へ回動自在に設けた回動体へ位相差をもって取り付けてあり、
被写体撮影時の構図設定やピント調整の操作に際しては、前記レンズ体の光束部に対して焦点板を対応させ、
被写体撮影時に際しては、前記レンズ体の光束部から前記焦点板を退避させ、前記レンズ体の光束部に前記撮像体を対応させてなり、
前記回動体の回動により選択的に移動する前記焦点板と前記撮像体とは、前記レンズ体の光束部に対応したとき、前記焦点板の対応位置と前記撮像体の対応位置とが、前記光束部において略一致する位置となるように設けたカメラの構成にある。
【０００９】
本体と、該本体の一側へ取り付けたレンズ体と、前記本体に内蔵して、前記レンズ体を通過して前記本体内に取り込んだ被写体像を結像させる撮像体とからなるカメラにあって、
前記本体内に設けて該本体のガイドに沿って回動する回動体と、この回動体に接続させて該回動体を回動させる操作手段と、前記回動体へ取り付けて、被写体撮影時の構図設定やピント調整の操作を行うに際して、前記レンズ体の光束部に対応させる焦点板と、前記回動体において前記焦点板の後側に取り付けて、前記レンズ体から取り込んだ被写体像を前記本体に設けたファインダーへ送る反射体と、前記回動体において前記反射体を挟んで前記焦点板の他側に設けて、被写体撮影時に際して、前記レンズ体の光束部に対応させる前記撮像体とを備えさせたカメラの構成にある。
【００１０】
本体と、該本体の一側へ取り付けたレンズ体と、前記本体に内蔵して、前記レンズ体を通過して前記本体内に取り込んだ被写体像を結像させる撮像体とからなるカメラにあって、
前記本体内に設けて該本体のガイドに沿って回動する回動体と、この回動体に接続させて該回動体を回動させる操作手段と、前記回動体へ取り付けて、被写体撮影時の構図設定やピント調整の操作を行うに際して、前記レンズ体の光束部に対応させる焦点板と、前記本体に固着して、前記レンズ体から取り込んだ被写体像を前記本体に設けたファインダーへ送る反射体と、前記本体内において、被写体撮影時に際して、前記レンズ体の光束部に対応させる前記撮像体とを備えさせたカメラの構成にある。
【００１１】
本体と、該本体の一側へ取り付けたレンズ体と、前記本体に内蔵して、前記レンズ体を通過して前記本体内に取り込んだ被写体像を結像させる撮像体とからなるカメラにあって、
前記本体内に設けて該本体のガイドに沿って回動する回動体と、この回動体に接続させて該回動体を回動させる操作手段と、前記回動体へ取り付けて、被写体撮影時の構図設定やピント調整の操作を行うに際して、前記レンズ体の光束部に対応させる焦点板と、前記回動体において前記焦点板の後側に取り付けて、前記レンズ体から取り込んだ被写体像を前記本体に設けたファインダーへ送る反射体とを備えさせ、
前記撮像体は、繰り出し体と、巻き取り体と、これら繰り出し体および巻き取り体に巻き付けたフィルム体とからなるロールフィルムであって、前記繰り出し体は前記回動体内または前記本体に取り付け、前記巻き取り体は前記本体または前記回動体内に取り付けて、これら繰り出し体と巻き取り体との間に緊張させた前記フィルム体を前記回動体に設けた引き出し体に係合させ、該回動体の回動に伴って、前記繰り出し体から撮像必要量の前記フィルム体を引き出して前記レンズ体の光束部に対応させるカメラの構成にある。
【００１２】
本体と、該本体の一側へ取り付けたレンズ体と、前記本体に設けた支軸へ回動自在に取り付けた回動体と、この回動体に設けて前記レンズ体を通過して前記回動体内に取り込んだ被写体像を結像させる撮像体とからなるカメラにあって、
前記回動体に設けて被写体撮影時の構図設定やピント調整の操作を行うに際して、前記レンズ体の光束部に対応させる焦点板と、前記回動体において前記焦点板の後側に取り付けて、前記レンズ体から取り込んだ被写体像を前記回動体に設けたファインダーへ送る反射体と、前記回動体において前記反射体を挟んで焦点板の他側に設けて、被写体撮影時に際して、前記レンズ体の光束部に対応させる前記撮像体とを備えさせたカメラの構成にある。
【００１３】
本体の一側へ取り付けたレンズ体に、上下方向や前後の回動方向に対する第一アオリ手段を設ける。
【００１４】
チルト操作による第二アオリ手段を設けたカメラにあって、
前記第二アオリ手段は、本体内に設けて該本体のガイドに沿って回動する副本体と、この副本体内に設けて該副本体の副ガイドに沿って回動する回動体と、この回動体に接続させて該回動体を回動させる操作手段と、前記回動体へ取り付けて、被写体撮影時の構図設定やピント調整の操作を行うに際して、前記レンズ体の光束部に対応させる焦点板と、前記回動体において前記焦点板の後側に取り付けて、前記レンズ体から取り込んだ被写体像を前記副本体に設けたファインダーへ送る反射体と、前記回動体において前記反射体を挟んで前記焦点板の他側に設けて、被写体撮影時に際して、前記レンズ体の光束部に対応させる前記撮像体とを備えさせる。
【００１６】
回動体へ複数の撮像体を取り付ける。
【００１７】
【実施例】
次に本発明に関するカメラの実施の一例を図面に基づいて説明する。
図１〜図５および図７〜図１５更に図１７〜図２４においてＡはカメラであって、堅牢な素材により形成した本体１と、本体１の一側へ取り付けたレンズ体２と、本体１に内蔵して、レンズ体２を通過して本体１内に取り込んだ被写体像を結像させる撮像体３とからなる。
【００１８】
そして、図１〜図５に示すカメラＡは、第一の例の実施例を示すもので、本体１にあって、回動体４と、操作手段５と、焦点板６と、反射体７と、ケース体８とにより基本的に構成される。
【００１９】
なお、レンズ体２は、光学的に明確な像を撮像体３面に投影するものであり、また、絞り機構（図示せず）やシャッター手段９を備える。
【００２０】
そして、前記した回動体４は、円筒状に形成して、本体１内に設けて該本体１の円筒状のガイド１０に沿って中心点Ｓを中心に回動するもので、この中心点Ｓは、レンズ体２を通る中心線Ｘ−Ｘ線上に設けてある。
【００２１】
前記した操作手段５は、回動体４に接続させて、該回動体４を正転または逆転方向へ所定回転角において回動させるもので、回動体４の適所に付設した操作つまみを用いるものであり、図示しない、電動式のモータ駆動等も利用することができる。
なお、回動体４の回動にあって、図１６に示すように、本体１の一側面へ固定状態に取り付けられる本体側板７０と回動体４との間に可動体７１を介在させ、この本体側板７０と回動体４とに、回動体４の回動範囲に見合う長さの円弧孔７２，７３（回動体の回動中心Ｓと同心円状となる円弧状の長孔）をそれぞれを穿設し、この円弧孔７２，７３内へおねじ付きのつまみ状の操作手段５を挿通させ、回動体４の一側に設けた回動体側板７４に螺設しためねじ孔７５へこの操作手段５のおねじ部を螺合する。
したがって、回動体４は、操作手段５の操作により、この円弧孔７２，７３の範囲内を任意に回動することができると共に、めねじ孔７５へそのおねじを緊締すれば、該回動体４は本体１の任意位置において固定される。
【００２２】
前記した焦点板６は、回動体４へ略垂直状に取り付けて、被写体撮影時の構図設定やピント調整の操作を行うに際して、レンズ体２の光束部１１に対応させてあって、該レンズ部２を通過して映し出された像を視覚により確認するもので、回動体４の回動と共に一体的に所定回転角の範囲内を回動移動する。
【００２３】
前記した反射体７は、回動体４において焦点板６の後側に取り付けて、レンズ体２から取り込んだ被写体像を本体１に設けたファインダー１２へ送るもので、例えば、平板状のミラーやプリズムなどが用いられる。
該反射体７は、被写体撮影時の構図設定やピント調整の操作を行うに際して、略垂直に設けられた焦点板６に対して、４５゜の傾斜角度をもって取り付けられていて、この４５゜の傾斜時においては、該反射体７の中央位置が前記したレンズ体２を通る中心線Ｘ−Ｘ線上の中心点Ｓに位置するように設けられる。
また、ファインダー１２は、接眼レンズ１３を有していて、該接眼レンズ１３の中心位置と前記とを結ぶ線Ｙ−Ｙ線状にあって、該Ｙ−Ｙ線は、Ｘ−Ｘ線と直交するように構成されている。
【００２４】
前記したケース体８は、回動体４において反射体７を挟んで焦点板６の他側に設けて、被写体撮影時に際して、その内部に、レンズ体２の光束部１１に対応させる撮像体３を収容してある。
また、該ケース体８は、回動体４の収容受け部１４に対して着脱自在に設けられていて、その内部に収容したフィルム等の撮像体３の取り出しや交換を行うことができる。このケース体８は、必要に応じて使用しない場合もあるもので、この場合、回動体４へ直接撮像体３を設ける。
【００２５】
なお、この撮像体３は、一側面に乳剤層を有するフィルム式のものや、光映像信号を電気信号に変換する半導体素子などの撮像素子（デジタルカメラ用）などが用いられるもので、撮像素子式の場合には、適宜なメモリー用の媒体（図示せず）を本体１や回転体４へ着脱自在に設けて、該媒体へその撮像した画像信号を送り記憶させる。
フィルム式は、ロールフィルム状およびシートフィルム状のものが使用でき、このうち、ロールフィルム状の場合は、ロール状で撮影時に一方から他方へ巻き取れる巻き上げ式が便利であって、３５ｍｍなどの小判フィルムはもちろんのこと、中判画面サイズのフィルムの６×４．５センチ判、６×７センチ判、６×９センチ判などがある。
また、シートフィルム状の場合は、大判画面サイズのフィルムのものが一般的で、例えば、４×５インチ判や、５×７インチ判、あるいは、６×７センチ判、６×９センチ判なども用いることができる。
更に、レンズ体２からの像を受けるその撮像体面３ａの位置は、回動体４が回動してレンズ体２における光束部１１に対応したとき、被写体撮影時の構図設定やピント調整の操作を行うに際して位置していた焦点板６の対応位置へ、略一致するように設けられている。すなわち、回動体４の回動によって位置変化する光束部１１に対する焦点板６と撮像体面３ａとは同じ位置である。
【００２６】
また、撮像体３の巻き上げ方向は、図１〜図４に示すように、撮影方向正面に対して左右方向へ行う場合と、図５に示すように、撮影方向正面に対して上下方向へ行う場合とがあるもので、いずれの場合も、図６に示すように、一方の巻き上げ軸１５か他方の巻き上げ軸１５かへ取り付けた巻き上げクランク１６により行われるもので、更には、モータ等による自動巻き取りであっても良い。
【００２７】
図１〜図３および図５において１７は、レンズ体２を本体１に対して進退させてピント調整の操作を行うピント調整手段で、本体１の下部において一方側部または両側部を進退する作動体１８を挿嵌して、この作動体１８の外端部において立設させた取付体１９により、レンズ体２を保持している保持部材２０を挟持するように支持させてある。
更に、この作動体１８に刻設したラック２１にピニオンギア２２を噛合させ、該ピニオンギア２２を調整つまみ２３の回転操作により作動体１８を進退させることで、焦点板６に結像するピントが変化する。
なお、このピント調整手段１７は、例えば、図１７等に示すように、レンズ体２と本体１との間に設けたヘリコイドタイプを用いることもできる。
【００２８】
また、レンズ体２の保持部材２０と本体１の前面部とには蛇腹等による可撓性を有する被覆体２４を取り付けることもある。
【００２９】
なお、回動体４は、操作手段５によるその焦点板６と撮像体面３ａとの回動にあって、それぞれのレンズ体２への対応位置は、本体１に設けた弾機等の係合子２５と、回動体４に設けた受孔等の係止体２６，２７との選択的な係合により正確に位置決めされる。
【００３０】
したがって、前記のように構成される本発明のカメラＡの第一実施例は、以下に述べる作用を奏する。
あらかじめ、ケース体８には未撮像体３を収納して、該ケース体８を回動体４の収容受け部１６に挿嵌しておき、回動体４を操作つまみ５の操作により回動させて、図１に示すように、焦点板６をレンズ体２側に対応させておく。
このとき、焦点板６と撮像体３とは、回動体４へ位相差をもって取り付けてある。すなわち、回動中心Ｓを中心に回動体４が、所定の回動角（例えば、９０゜〜１８０゜の範囲）を時計方向あるいは反時計方向へ回動するとき、光束部１１へこれら焦点板６と撮像体３とが選択的に対応する。
【００３１】
この状態で、被写体へカメラＡを据え付けあるいは対応させて、該被写体の像をレンズ体２を通して焦点板６へ照射する。焦点板６の像は透過して反射体７に映し出され、ファインダー１２の接眼レンズ１３により確認できるもので、この像は上下が逆とならない正像であって、被写体の構図設定やピント調整手段１７によるピント調整の操作はしやすいもので、これらの操作をそれぞれ行い、希望する撮影条件に設定する。
【００３２】
そして、希望する撮影条件となれば、この状態で、レンズ側のシャッター９を閉じ、回動体４のみを操作手段５により回動させて、図３に示すように、撮像体３の撮像体面３ａをレンズ体２側に対応させる。
また、先に位置していた焦点板６の光束部１１位置とこの撮像体面３ａの光束部１１位置とは略一致しているため、ファインダー１２において設定・確認した像と撮像体面３ａとの結像とは距離的に誤差がなく正確なものである。
【００３３】
図３に示すように、シャッター９を切ることで、レンズ体２を通過した被写体は撮像体面３ａに所定の感光を経て結像される。
したがって、中判，大判画像サイズの撮像体３の使用であっても、従来のような、フィルムバッグを一撮影ごと付け替えるあるいは着脱する手間が全くなくなって、被写体の撮影がスピーディーとなり、連続した速写性も大幅に向上した。
【００３４】
なお、この実施例にあって、シャッター機構は、図７に示すように、先膜２７と後膜２８とからなるフォーカルプレーンシャッター手段９ａを採用することができるもので、本体１には、図示してないシャッター制御ユニットが装備されている。
【００３５】
図８〜図１１において示す本発明実施例のカメラＡは、第二の実施例を示すもので、前記した第一実施例のカメラＡの構成と異なる点は、レンズ体２に上下方向（ライズ）や前後の回動方向（チルト）に対する第一アオリ手段ｄを設けた構成である。また、本体１にあって、他の部材である回動体４と、操作手段５と、焦点板６と、反射体７と、ケース体８とは、前記第一実施例と同様に構成されるため同一部材には同一符号を付して詳細な説明は省略する。
【００３６】
すなわち、レンズ体２に上下方向（ライズ）のアオリを与える構成は、レンズ体２を保持している保持部材２０は、取付体１９に設けた縦方向の長孔２９を挿通するつまみ付きねじ等の止着手段３０により、該取付体１９へ固着されているもので、該止着手段３０を緩めることで、図８に示すように、保持部材２０は上下方向（ライズ）へ移動自在となる。これにより、建物等の撮影にあって、仰角，俯瞰撮影時において倍率差で生ずる遠近感の違いを補正することができる。
【００３７】
更に、前後の回動方向（チルト）のアオリを与える構成は、同様に、図１１に示すように、止着手段３０を中心として保持部材２０が回動自在となるもので、被写界深度を拡大することができて、近接撮影を行うに際して有効となる。
このカメラＡにあって、大判レンズを使用することができて大きなイメージサークルが得られることになり、従来のカメラに比べて大きなアオリ効果を得ることができる。
【００３８】
なお、本実施例にあって、レンズ体２に上下方向（ライズ）に対する第一アオリ手段ｄを設ける他の例として、図１２に示すような例も用いることができるもので、この場合、レンズ体２を保持している保持部材２０に設けたラックギア３５に操作つまみ３６により回転されるピニオンギア３７を噛合させてある。
したがって、この第一アオリ手段ｄは、操作つまみ３６を操作されることで、レンズ体を支持している保持部材２０を上下方向（ライズ）へ移動自在となる。ピント調整手段１７は、ヘリコイド機構を用いることができる。
【００３９】
次に、図１３〜図１４において示す本発明実施例のカメラＡは、第三の実施例を示すもので、被写体撮影時の構図設定やピント調整の操作を行うに際して、本体１内の副本体４０を回動させることでチルト操作による第二アオリ手段ｅを構成させる。
すなわち、本体１内に設けて該本体１のガイド４１に沿って回動手段４７により回動する副本体４０と、この副本体４０内に設けて該副本体４０の副ガイド４２に沿って回動する回動体４３と、この回動体４３に接続させて該回動体４３を回動させる操作手段５と、回動体４３へ取り付けて、被写体撮影時の構図設定やピント調整の操作を行うに際して、レンズ体２の光束部１１に対応させる焦点板６と、回動体４３において焦点板６の後側に取り付けて、レンズ体２から取り込んだ被写体像を副本体４０に設けたファインダー１２へ送る反射体７と、回動体４３において反射体７を挟んで焦点板６の他側に設けて、被写体撮影時に際して、レンズ体２の光束部１１に対応させる撮像体３を収容したケース体８とを備えさせる。
【００４０】
なお、副本体４０は、本体１に設けた円弧長孔４４の範囲内を後記する回動手段４７により回動移動できるもので、止めねじ等の止着部材４５により該副本体４０と本体１とが一体的に止め付けられる。
この例にあって、アオリ（チルト）時の副本体４０の回転中心Ｓと、回動体４３の回動中心Ｓとは同一位置に構成される。
【００４１】
前記した回動手段４７は、副本体４０に付設した大ギア４８に本体１の操作軸４９に支持させたピニオンギア５０を噛合させ、該操作軸４９の外端部に取り付けた操作つまみ５１を回転させることで、この副本体４０は任意に回動される。
なお、この操作軸４９の回転は、電動等によるモータ駆動により行うこともできる。
【００４２】
したがって、この第三実施例によれば、回動体４３を操作手段５により操作して反射体７を光束部１１側へ位置付けると、図１２に示すように、焦点板６もレンズ体２側に対応する。このとき、副本体４０を回動手段４７により円弧長孔４４に沿って回動移動させると、焦点板６はレンズ体２側に対して、図１３（ａ）に示すように上向きに、また、図１３（ｂ）に示すように、下向きにその傾斜角度が変化する。
これにより、ファインダー１２より目視する反射体７の像を見ながら、希望する画像効果が得られるようにピントを調整すれば、所定の被写界深度をもった撮影条件が設定される。
【００４３】
希望する撮影条件となれば、この状態で、レンズ側のシャッター９を閉じ、回動体４３のみを操作手段５により回動させて、図１４に示すように、撮像体３の撮像体面３ａをレンズ体２側に対応させる。
また、先に位置していた焦点板６の光束部１１位置とこの撮像体面３ａの光束部１１とは略一致しているため、ファインダー１２において設定・確認した像と撮像体面３ａとの結像とは正確なものである。
【００４４】
そして、シャッター９を切ることで、レンズ体２を通過した被写体は撮像体面３ａに所定の感光を経て結像されるもので、その像は、希望する画像効果が得られたものとなる。
【００４５】
なお、この実施例における第二アオリ手段ｅは、このバックチルト操作による第二アオリ手段ｅとして、図１３に示すように、ラックギア３５とピニオンギア３７とからなる第一アオリ手段ｄを併用して使用することもできる。
【００４６】
更に、この第二アオリ手段ｅにあって、図１６に示すように、本体１の一側面へ固定状態に取り付けられる本体側板７０と回動体４との間に可動体７１を介在させ、この本体側板７０と回動体４とに、回動体４の回動範囲に見合う長さの円弧孔７２，７３（回動体の回動中心Ｓと同心円状となる円弧状の長孔）をそれぞれを穿設し、この円弧孔７２，７３内へおねじ付きのつまみ状の操作手段５を挿通させ、回動体４の一側に設けた回動体側板７４に螺設しためねじ孔７５へこの操作手段５のおねじ部を螺合する。
したがって、回動体４は、操作手段５の操作により、この円弧孔７２，７３の範囲内を任意に回動することができると共に、めねじ孔７５へそのおねじを緊締すれば、該回動体４は本体１の任意位置において固定される。
更に、本体側板７０にアオリ範囲に見合う長さの円弧状の長孔７６（回動体の回動中心Ｓと同心円状となる円弧状の長孔）を穿設し、この長孔７６内へおねじ付きの操作つまみ７７を挿通して、可動体７１に螺設した可動体めねじ孔７８へ螺合しておき、この長孔７６の範囲を操作つまみ７７により可動体７１を回動させてアオリ位置を調整し、該操作つまみ７７を緊締して該可動体７１を固定することで、図１７に示すように、アオリ操作が行われた撮影ができる。
この構成による第二アオリ手段ｅによれば、前記した副本体４０を回動させることで行う第二アオリ手段ｅと比べ構成が簡単なため、計量でかつ安価に製作することができる。
【００４７】
図１８において示すカメラＡは、本体１内に設けた回動体４へ複数の撮像体３を設けた例を示すもので、図１８（ａ）に示す例は、撮像体３が、銀塩用のロールフィルム３ｇとデジタル用の撮像素子３ｈとを、例えば、回転体４の回転中心Ｓにおいて９０゜の位相差を付けて組み合わせたものであり、また、図１８（ｂ）に示す例は、二組のデジタル用の撮像素子（解像度の異なる画素数のものなど）３ｈ，３ｈを、例えば、回転体４の回転中心Ｓにおいて９０゜の位相差を付けて組み合わせたものであって、撮影条件や被写体等により得られる画像に相応して任意に選択して光束部１１へ対応させるものである。
【００４８】
図１８（ａ）に示す例のロールフィルム３ｇの撮像体３の場合は、該撮像体３（３ｇ）は、回動体４内に設けられた、繰り出し体８３と、巻き取り体８４と、これら繰り出し体８３および巻き取り体８４に巻き付けたフィルム体８５とからなるものであって、該フィルム体８５の撮像体面３ａが光束部１１に対応したとき、フィルム体８５に一定の緊張力等を与えるフィルム受体８６を回動体１内に設けてある。
なお、巻き取り体８４の軸８４ａの外端部に付設した操作部材８７により、撮影一コマ分ずつのフィルム体８５が巻き取られる。また、９５は、回動体４の回動位置決めを行うストッパーである。
【００４９】
次に、図１９において示す本発明実施例のカメラＡは、第四の実施例を示すもので、反射体７を本体１側に取り付けた、いわゆる、反射体７が固定式の構成である。
この構成は、本体１と、該本体１の一側へ取り付けたレンズ体２と、本体１に内蔵して、レンズ体２を通過して本体１内に取り込んだ被写体像を結像させる撮像体３とからなるものである。
また、本体１内に設けて該本体１のガイド１０に沿って回動する回動体４と、この回動体４に接続させて該回動体４を回動させる操作手段５と、回動体４へ取り付けて、被写体撮影時の構図設定やピント調整の操作を行うに際して、レンズ体２の光束部１１に対応させる焦点板６と、本体１に固着して、レンズ体２から取り込んだ被写体像を本体１に設けたファインダー１２へ送る反射体７と、回動体４に設けて、被写体撮影時に際して、レンズ体２の光束部１１に対応させる撮像体３とを備えさせてなる。更に、３ｂは、レンズ体２から取り込んだ被写体像を表示させる液晶パネルである。
【００５０】
なお、前記した本体１およびレンズ体２と、回動体４と、操作手段５と、焦点板６との基本的構成は前記第一実施例と同様に構成されるもので、その詳細な説明と作用効果はこの第一実施例を援用して省略し、かつ、同様部材には同様の符号を付す。
更に、本体１に取り付けたファインダー１２は、図１８〜図１９等に示すように、プリズム１３ａを介して接眼レンズ１３から反射体７の被写体像を確認することができるファインダーを用いることができるもので、被写体像を上下，左右が正像に映し出すことができる。このプリズム式のファインダー１２は、被写体像を正確に確認するために、プリズム１３ａと接眼レンズ１３との間には補助レンズ群（図示せず）が設けられる。
【００５１】
そして、前記した撮像体３は、前記したように、一側面に乳剤層を有するフィルム状のものや、光映像信号を電気信号に変換する半導体素子などの撮像素子等の、いわゆる、デジタルカメラ用のものが用いられるものであるが、図１９においては、撮像素子式のものを示す。
【００５２】
この反射体７の固定式において撮像体３に撮像素子を用いた場合には、図１９（ａ）に示すように、被写体像がレンズ体２を通る中心線（図１におけるＸ−Ｘ線）が反射体７に当たる位置（回動体４の回転中心Ｓ）において、該反射体７に半透過性を有する半透過反射体７ａを設け、この反射体７の裏側において前記中心線（図１におけるＸ−Ｘ線に該当する）の延長線上に、露出用のセンサー９６を取り付けることができる。撮像体３が小型に形成できることもあって、回動体４の回動に邪魔にならない空間スペースが比較的多く形成されることで、この露出用のセンサ９６や図示してないオートフォーカスセンサーなどの制御系機器を取り付けるスペースが容易に得られる。
また、このセンサー９６はファインダー１２側から見て、常に本体に固定された反射体７の裏側にあるため、ファインダー１２からの逆入光の影響を受けることはない。
【００５３】
したがって、この第四実施例によるカメラＡは、以下に述べる作用を奏する。まず、回動体４を操作手段５により操作してガイド１０に沿って回動させ、この回動体４に取り付けられた焦点板６をレンズ体２の光束部１１側に対応させる。このとき、本体１に固定した反射体の背部７ａに回動体４の一方係止部６２が当接することで、図１９（ａ）に示すように、焦点板６が光束部１１に対応した位置決めがなされる。
そして、レンズ体２から入光して焦点板６を介して反射体７に写る像をファインダー１２より見ながら、希望する画像効果が得られるようにピント調整手段１７を操作してピントを調整すれば、所定の被写界深度をもった撮影条件が設定される。
【００５４】
希望する撮影条件となれば、この状態でシャッター９を閉じ、図１９（ｂ）において矢印ｐに示すように、回動体４を操作手段５により回動させて、撮像体３の撮像体面３ａをレンズ体２側に対応させる。このとき、本体１に固定した反射体の背部７ｂに回動体４の他方係止部６３が当接することで、図１９（ｂ）に示すように、撮像体３が光束部１１に対応した位置決めがなされる。
この状態で、シャッター９を切ることで、レンズ体２を通過した被写体は、撮像体面３ａに対して所定の感光を経て結像され、該像は、撮像体面３ａにおいて希望する画像効果が得られたものとなる。
【００５５】
撮影が終了すれば、図１９（ｂ）において示す矢印ｐとは逆方向へ回動体４を回動させ、焦点板６をレンズ体２の光束部１１へ対応させる。すなわち、本体１に固定された反射体７の背部７ａへ回動体４の他方係止部６２を当接させることで、焦点板６が光束部１１に対応した位置決めがなされ、次の撮影に備える。
この例にあって、反射体７が本体１へ固定されているため、光束部１１への焦点板６の対応時は、反射体７背部と回転体４の一方係止部６２とが当接し、光束部１１への撮像体面３ａの対応時は、反射体７背部と回転体４の一方係止部６３とが当接することで、回転体４の回転を規制するストッパー作用を行うことができる。
また、焦点板６と撮像体３の光束部１１の切り換えに伴う回転体４の回転の際に、反射体７およびセンサー９６の回転を伴なうことはないから、これにより、回転体４の質量をできるだけ小さくすることができ、焦点板６と撮像体３の光束部１１の切り換えに伴う回転負荷を軽減できることにより、迅速な切り換え操作を行うことが可能となる。
【００５６】
次に、図２０および図２１において示す本発明実施例のカメラＡは、第五の実施例を示すもので、撮像体３にロールフィルムを用いた場合の例である。
すなわち、この例は、本体１外部から回動体４に対して抜き差し自在となる取付体５２と、この取付体５２に設けた繰り出し体５３と、巻き取り体５４と、これら繰り出し体５３および巻き取り体５４に巻き付けたフィルム体５５とからなるものであって、繰り出し体５３は回動体４と一体的に回動移動するように取り付け、巻き取り体５４は本体１に取り付けて移動しないように取り付けてある。この巻き取り体５４の本体１への取り付けにあっては、本体１の背部へ支軸９０により回動自在に取り付けた支持体９１へ着脱自在に設けられるもので、軸５４ａは、この支持体９１に設けた操作部材６１の巻き取り軸９２へ係脱自在に取り付けられる。この巻き取り軸９２は、一方向クラッチ等を内蔵していて、巻き取り時以外は回転しない。
なお、繰り出し体５３と巻き取り体５４とは、図示してないが、その一方の繰り出し体５３を本体１側に取り付け、巻き取り体５４を取付体５２側に設けても撮影作用上全く変わらないため、相対的な変化として使用できるもので、この場合、巻き取り体５４が回動体４と一体的に回動移動する。
【００５７】
また、この繰り出し体５３と巻き取り体５４との間に緊張させたフィルム体５５を取付体５２に設けた引き出し体５６に迂回するように係合させ、該回動体４の回動に伴って、繰り出し体５３から撮像必要量のフィルム体５５を引き出してレンズ体２の光束部１１に対応させる。
【００５８】
前記した引き出し体５６は、取付体５２の一側部に設けてあって、回動体４の回動に伴って該回動体４と一緒に移動する。
これにより、繰り出し体５３の軸５３ａへ終端部を巻き付けたフィルム体５５をこの繰り出し体５３から引き出すことで、撮像に必要な量のフィルム体５５がレンズ体２の光束部１１に対応する。
【００５９】
また、この引き出し体５６と取付体５２に設けた迂回部材５７との間には、撮像体面３ａが光束部１１に対応したとき、少なくとも、そのフィルム体５５の撮影一コマ分である撮像体面３ａに当接するフィルム受体５８が設けられているものである。なお、引き出し体５６と迂回部材５７とは、回動体４の回動中心Ｓとの距離が同一距離に設けられているもので、この引き出し体５６と迂回部材５７と回動中心Ｓとを結んで形成される三角形の回動中心Ｓ側の内角は略９０゜となる。したがって、この略９０゜の回転角で光束部１１への対応が行われる。
更に、該フィルム体５５における撮像体面３ａの裏面は、フィルム受体５８の一側面（外面）に当接し、フィルム受体５８の他側面（内面）には、繰り出し体５３より繰り出されたフィルム体５５が受け部材５９により案内されて当接している。この受け部材５９とフィルム受体５８との間にはバネなどの弾性部材６０により、常時、該フィルム受体５８の一側面（外面）をフィルム体５５側へ弾力的に付勢させることで、引き出された該フィルム体５５（撮像体面３ａ）に一定の緊張力を与えて弛みや歪みを防止する。
また、この弛みや歪みを防止する手段として、引き出し体５６と迂回部材５７とに対応する箇所に、図２１に示すように、フィルム体５５の外面（撮像体面３ａ）に当接しフィルム受体５８へ押さえる押さえローラ９３ａ，９３ｂが配設され、更に、この押さえローラ９３ａ，９３ｂの外側部に、撮像体面３ａへの露光範囲を規制し遮断する所定区画の遮光マスク体９４を回動体４へ取り付けてあることにより、合わせて撮像体面３ａの平面性が確保される。
【００６０】
また、巻き取り体５４の軸５４ａに接続する巻き取り軸９２には、図示しない一方向クラッチが内蔵されていて、操作手段５による回動体４の回動によって、図２０（ｂ）に示すように、フィルム体５５をレンズ体２の光束部１１に対応させるときは、軸５４ａは固定状態となると共に、繰り出し体５３の軸５３ａはフィルム体５５が引き出される方向へ回転自在となるため、撮影一コマ分のフィルム体５５が引き出し体５６により引き出される。
更に、撮影されたフィルム体５５の巻き取りにあっては、繰り出し体５３の軸５３ａは固定状態となり、巻き取り体５４の軸５４ａの外端部に付設した操作部材６１により、該軸５４ａを回転させると、光束部１１に対応している撮像体面３ａのフィルム体５５が巻かれると共に、引き出し体５６を迂回するこのフィルム体５５に対する引っ張り力により回動体４が回動し、図２０（ａ）に示すように、回動体４に設けた焦点板６が光束部１１へ対応した位置において該回動体４が停止し、フィルム体５５の撮影一コマ分の巻き取りが完了する。
【００６１】
したがって、この第五実施例によるロールフィルム式の撮像体３の場合のカメラＡは、まず、回動体４を操作手段５により操作してガイド１０に沿って回動させ、この回動体４に取り付けられた焦点板６をレンズ体２の光束部１１側に対応させる。このとき、本体１における光束部１１下側の係止部材９７に回動体４の当接子９８が当接することで、図２０（ａ）に示すように、焦点板６が光束部１１に対応した位置決めがなされる。
そして、レンズ体２から入光して焦点板６を介して反射体７に写る像をファインダー１２より見ながら、希望する画像効果が得られるようにピント調整手段１７を操作してピントを調整すれば、所定の被写界深度をもった撮影条件が設定される。
【００６２】
希望する撮影条件となれば、この状態でシャッター９を閉じ、図２０（ｂ）に示すように、回動体４を操作手段５により回動させて、撮像体３におけるフィルム体５５の撮像体面３ａをレンズ体２側に対応させる（フィルム体５５の引き出し工程）。このとき、本体１における光束部１１上側の係止部材９９に回動体４の当接子９８が当接することで、図２０（ｂ）に示すように、撮像体面３ａが光束部１１に対応した位置決めがなされる。
すなわち、フィルム体５５を光束部１１側へ回動させると、該回動体４に取り付けられた引き出し体５６が回動体４の回動と共に回動移動して、フィルム体５５を軸５３ａの回転に伴って繰り出し体５３から引き出す。このとき、巻き取り体５４の軸５４ａは一方向クラッチにより回転しないので、該巻き取り体５４側からはフィルム体５５は誤って引き出されない。また、撮像体面３ａの背面においては回動体４（取付体５２）に取り付けられたフィルム受体５８が光束部１１へ正対するように対応し、かつ、その撮像体面３ａの裏面は弾性部材６０により該フィルム受体５８に密着状態に当接し、この撮像体面３ａに一定の緊張が与えられてたるみや湾曲などを生じさせない。
【００６３】
こうして、回動体４が所定回転角（例えば、９０゜）を回動すると、図２０（ａ）において位置していた迂回部材５７が同図における引き出し体５６の位置まで回動移動し、すなわち、図２０（ｂ）に示す位置に達すると、光束部１１の寸法に見合った長さ（撮影一コマ分）に引き出されたフィルム体５５の撮像体面３ａが該光束部１１に対応するので、この状態で、シャッター９を切ることで、レンズ体２を通過した被写体像は撮像体面３ａに対して所定の感光を経て結像され、該像は、撮像体面３ａにおいて希望する画像効果が得られたものとなる。
なお、ファインダー１２から光が回動体４内の撮像体面３ａに当たって、誤った感光されるおそれがある場合には、ファインダー１２における接眼レンズ１３近傍において逆入光防止体１００を付設する。この逆入光防止体１００は、起伏自在に設けることで、ピント調整や構図設定時に邪魔にならない。
【００６４】
撮影が終了すれば、図２０（ｂ）の状態から図２０（ａ）へ回動体４を回動させ、焦点板６をレンズ体２の光束部１１へ対応させる。
このとき、繰り出し体５３の軸５３ａは手動または自動により固定状態となるもので、巻き取り体５４の軸５４ａと連結された巻き取り軸９２の外端部に付設した操作部材６１により、該軸５４ａを回転させると、光束部１１に対応している撮像体面３ａの撮影一コマ分が巻かれると共に、引き出し体５６を迂回するこのフィルム体５５に対する引っ張り力により、回動体４が回動し、やがて、回動体４に設けた焦点板６が光束部１１へ対応した位置決めがなされ、次の撮影に備える。
【００６５】
次に、図２２〜図２３において示す本発明実施例のカメラＡは、第六の実施例を示すもので、回動体４を本体１へ支軸６５へ回動に取り付けて、焦点板６と撮像体３とを回動体４の選択的な回動により光束部１１への対応を変換させる構成である。
すなわち、本体１の上部に付設した取付体６６へ支軸６５によりかぎ形のリンク６７の一端部を回動自在に取り付け、このリンク６７の他端部へ回動体４を回転軸６８により回転自在に取り付けてある。
【００６６】
したがって、図２２（ａ）に示すように、光束部１１へ焦点板６を対応させた状態において、レンズ体２から焦点板６，反射体７，ファインダー１２と経た光軸において、被写体の構図設定やピント調整を行った後は、回動体４を上方へ持ち上げると、この回動体４はリンク６７と共に、図２２（ｂ）に示すように、支軸６５を中心に上方へ回動するので、この状態で、回転軸６８を中心として回動体４を、図２２（ｂ）に示す状態から図２２（ｃ）に示す状態まで矢印ｒの方向へ略１８０゜回転させ、外側に向いていたその撮像体３の撮像体面３ａを、図２２（ｃ）に示すように、内側へ向けて該撮像体面３ａを光束部１１へ対応させれば、直ちに被写体の撮影を行うことができる。
【００６７】
この構成により、本体１によって回動体４の外周部を覆うことがないので、カメラＡ全体の形状をコンパクトに形成することができる。
焦点板６と撮像体３の感光面（撮像体面３ａ）とをそれぞれ反転させて本体１における光束部１１の同一面へ押し付ける構成のため、それぞれ焦点板６と撮像体３との位置決め精度が高いものである。
【００６８】
なお、この第六実施例にあって、撮像体３は、回動体４の回転中心（回転軸６８）の位置から光束部１１における焦点板６および撮像体３の撮像体面３ａまでの位置Ｈの寸法に変化が出ても、取付体６６の支軸６５へ取り付けたリンク６７における一端の取付部において長孔状に設けて、この長孔８０に支軸６５を係合させると共に、この長孔８０内に本体１が常時光束部１１側に当接する方向へ付勢させるバネ等の弾性部材８１を設けてあるので、この長孔８０の調整移動範囲Ｇにおいて位置Ｈの変化量を補正させて、該撮像体面３ａの光束部１１へ確実に対応させることができ、各部材の寸法精度にバラツキがあっても対応できる。
【００６９】
この第六実施例において、回動体４を取り付けた本体１は、レンズ体２に対して着脱自在に設けることができるもので、更には、図２４に示すように、既存のアオリ機構などを付設したレンズ台本体９１（テクニカルビューカメラなど）を選択的に取り付けて使用することができる。
【００７０】
【発明の効果】
請求項１および２に係る発明は、中判，大判サイズの撮像体を用いての撮影にあっても、光束部に対する焦点板と撮像体との反転動作を瞬時に行えるため、ファインダーにより被写体の構図やピントを行った後、直ちに撮影を行えることができ、ファインダーから見る被写体像が少なくともその上下が正像となるので、構図やピント調整の作業性が大幅に向上する。
また、この反転のための構造が簡単であるためカメラ本体を必要以上に大型化させることがないので、持ち運びや撮影移動更には取り扱いが甚だ良好となる。焦点板と撮像体面とは略同一位置に設けられるため、従来カメラより正確な被写体の像を得ることができる。
請求項３に係る発明は、反射体を本体へ固定させることで、回動体において反射体の背部に空間部を形成させることができ、この部分にカメラの制御系を収容させることができる。また、回転体を軽量化させることで、回転体の回転動作を迅速に行うことができる。
請求項４に係る発明は、撮像体の繰り出しにあって、回動体の回動を利用してそのフィルム体を撮影に必要な１コマを繰り出すことができ、また、回動体の反転回動に伴って撮影済みのフィルム体を巻き取ることができる。
請求項５に係る発明は、回動体を本体に設けた支軸により回動自在とさせることにより、回動体を本体により覆わないので、カメラ全体をコンパクトに製作できる。
請求項６に係る発明は、請求項１〜５に係る発明において、レンズ体に第一アオリ手段を設けることことができて、従来のテクニカルビューカメラなどのように中判，大判サイズの撮像体を使用してのアオリ効果を得ることができる。
請求項７に係る発明は、第二アオリ手段を設けることにより、ファインダーを覗きながらチルト調整を行うことができるので、該アオリ操作が容易となると共に、第一アオリ手段のライズ，フォール操作を付加するあるいは併用することにより、最小のイメージサークルにてアオリ撮影が可能となり、通常の交換レンズを用いてのアオリ撮影を行うことができる。
また、バックフォーカスが既存の一眼レフカメラに比べて非常に短く取れるのでレンズ設計がやりやすい。
請求項８に係る発明は、回動体へ複数の撮像体を取り付けることにより、同一被写体に対して異なる撮像体を用いて複数の撮影を行うことができる。等格別な効果を奏するものである。
【図面の簡単な説明】
【図１】  本発明に関するカメラの第一実施例を示す縦断側面図で、構図やピントの調整状態を示す。
【図２】  図１におけるカメラを示す概略の斜視図である。
【図３】  図１におけるカメラにおいて、撮影直前の状態を示す縦断側面図である。
【図４】  図２におけるカメラを示す横断平面図である。
【図５】  図１におけるカメラの撮像体にあって、他の巻き上げ例を示す縦断側面図である。
【図６】  図１におけるカメラの撮像体の収容されたケース体を示す断面図である。
【図７】  図１におけるカメラのフォーカルプレーンシャッター機構を用いた例を示す縦断側面図である。
【図８】  本発明に関するカメラの第二実施例を示す縦断側面図で、ライズ調整状態を示す。
【図９】  図８におけるカメラを示す概略の斜視図である。
【図１０】  図８におけるカメラの要部を示す横断平面図である。
【図１１】  図８におけるカメラにあってチルト調整状態を示す要部の縦断側面図である。
【図１２】  図８におけるカメラの第一アオリ手段にあって他の例を示す要部の縦断側面図である。
【図１３】  本発明に関するカメラの第三実施例を示す縦断側面図である。
【図１４】  図１３におけるカメラの作動状態を示す縦断側面図である。
【図１５】  図１３におけるカメラを示す概略の斜視図である。
【図１６】  図１におけるカメラにおける回動体の回動構成および第二アオリ手段を示す概略の斜視図である。
【図１７】  図１６におけるカメラの第二アオリ手段による動作状態を示す縦断側面図である。
【図１８】  図１におけるカメラに複数の撮像体を設けた例を示す縦断側面図である。
【図１９】  本発明に関するカメラの第四実施例を示すもので、撮像素子式の撮像体の場合の縦断側面図である。
【図２０】  本発明に関するカメラの第五実施例を示すもので、ロールフィルム式の撮像体の場合の縦断側面図である。
【図２１】  図２０におけるカメラにおいてロールフィルム式の撮像体の取付状態を示す縦断側面図である。
【図２２】  本発明に関するカメラの第六実施例を示す縦断側面図である。
【図２３】  図２２におけるカメラにおいて回動体の取り付けの他の例を示す縦断側面である。
【図２４】  図２２におけるカメラにおいてレンズ体部の他の例を示す分解した状態の斜視である
【図２５】  従来のカメラにおける構図やピント調整状態を示す縦断側面図である。
【図２６】  従来のカメラにおけるアオリの動作状態の各例を示す縦断側面図である。
【符号の説明】
Ａ…カメラ．１…本体．２…レンズ体．３…撮像体．４，４３…回動体．５…操作手段．６…焦点板．７…反射体．８…ケース体．１０…ガイド．１１…光束部．１２…ファインダー．４０…副本体．４２…副ガイド．ｄ…第一アオリ手段．ｅ…第二アオリ手段．５３…繰り出し体．５４…巻き取り体．５５…フィルム体．５６…引き出し体．６５…支軸
【図１】
0003844447.tif 000002
【図２】
0003844447.tif 000003
【図３】
0003844447.tif 000004
【図４】
0003844447.tif 000005
【図５】
0003844447.tif 000006
【図６】
0003844447.tif 000007
【図７】
0003844447.tif 000008
【図８】
0003844447.tif 000009
【図９】
0003844447.tif 000010
【図１０】
0003844447.tif 000011
【図１１】
0003844447.tif 000012
【図１２】
0003844447.tif 000013
【図１３】
0003844447.tif 000014
【図１４】
0003844447.tif 000015
【図１５】
0003844447.tif 000016
【図１６】
0003844447.tif 000017
【図１７】
0003844447.tif 000018
【図１８】
0003844447.tif 000019
【図１９】
0003844447.tif 000020
【図２０】
0003844447.tif 000021
【図２１】
0003844447.tif 000022
【図２２】
0003844447.tif 000023
【図２３】
0003844447.tif 000024
【図２４】
0003844447.tif 000025
【図２５】
0003844447.tif 000026
【図２６】
0003844447.tif 000027